(57)【要約】【課題】ユーザが簡単な作業を行うだけで、使用環境に適した状態で動作させることが可能なプリンタを、提供する。【解決手段】プリンタを、初回起動時（ステップＳ１０２、Ｓ１０７）に、３種の通信インタフェースに関する設定とＭＰトレイに関する設定とをユーザに行わせるための重要項目値設定支援処理（ステップＳ１０５）を行うように、構成しておく。【選択図】  図３
2004249479.tif 000002
【特許請求の範囲】
【請求項１】
複数種類の動作条件規定項目のそれぞれについて項目値を記憶しておくための項目値記憶手段と、
情報を表示するための表示手段と、
ユーザが操作可能な複数種類のアイテムを有する操作手段と、
前記表示手段と前記操作手段とを、ユーザが前記表示手段に表示される情報を見ながら前記操作手段が有するアイテムを操作することにより，前記項目値記憶手段に記憶された幾つかの項目値を順次設定することが出来る手段として機能させるための項目値設定支援制御処理を実行可能な項目値設定支援手段
とを、備えることを特徴とするプリンタ。
【請求項２】
項目値設定支援手段が前記項目値設定支援制御処理を実行することによりユーザに設定させる項目値の中に、それぞれ、特定の通信インタフェース用に確保するバッファサイズを指定するための２つ以上の項目値が、含まれている
ことを特徴とする請求項１記載のプリンタ。
【請求項３】
前記項目値設定支援手段が、電源の初回投入時に、前記項目値設定支援制御処理を開始する手段である
ことを特徴とする請求項１又は請求項２に記載のプリンタ。
【請求項４】
前記項目値設定支援手段が、前記項目値設定支援制御処理を開始する前に、前記操作手段に対する操作を通じてユーザから前記項目値設定支援制御処理を開始するか，前記項目値設定支援制御処理を次回の電源投入時に開始するか，前記項目値設定支援制御処理を次回の電源投入時に行わないかについての指示を取得し、取得した指示に応じた動作を行う手段である
ことを特徴とする請求項３に記載のプリンタ。
【請求項５】
前記項目値設定支援手段が、前記操作手段に対して所定の操作が行われた時にも、前記項目値設定支援制御処理を開始する手段である
ことを特徴とする請求項２乃至請求項４のいずれかに記載のプリンタ。
【発明の詳細な説明】
【０００１】
【発明の属する技術分野】
本発明は、動作条件を規定する各種項目に関する項目値を設定可能なプリンタに、関する。
【０００２】
【従来の技術】
周知のように、市販されているプリンタの中には、コントロールパネル（又は、操作パネル）と呼ばれるもの（液晶ディスプレイ，複数の押しボタンスイッチ等からなるユニット）が筐体に設けられており、当該コントロールパネルを操作することにより動作条件に関する各種の設定を行えるプリンタが、存在している。
【０００３】
【発明が解決しようとする課題】
上記のようなプリンタ（以下、従来プリンタと表記する）は、動作条件に関する設定が行えることから明らかなように、動作条件を使用環境に応じたものとしてから使用し始めるのが望ましい装置となっている。
【０００４】
しかしながら、従来プリンタにおける動作条件の設定作業（マニュアルを読んでコントロールパネルに対して行うべき操作内容を把握し、実際にコントロールパネルを操作する作業）は、その種の作業に慣れていない一般ユーザにとっては煩雑なものとなっている。また、従来プリンタは、工場出荷状態のままでも（ユーザが何ら設定が行わなくても）動作する装置として構成されている。このため、従来プリンタは、適切な設定が行われていない状態で使用されているケースが多い装置となっている。
【０００５】
本発明は、このような現状を鑑みなされたものであり、本発明の課題は、ユーザが簡単な作業を行うだけ、使用環境に適した状態で動作させることが可能なプリンタを、提供することにある。
【０００６】
【課題を解決するための手段】
上記課題を解決するために、本発明では、プリンタを、複数種類の動作条件規定項目のそれぞれについて項目値を記憶しておくための項目値記憶手段と、情報を表示するための表示手段と、ユーザが操作可能な複数種類のアイテムを有する操作手段と、表示手段と操作手段とを、ユーザが表示手段に表示される情報を見ながら操作手段が有するアイテムを操作することにより，項目値記憶手段に記憶された幾つかの項目値を順次設定することが出来る手段として機能させるための項目値設定支援制御処理を実行可能な項目値設定支援手段とを備える装置としておく。
【０００７】
すなわち、本発明のプリンタは、ユーザに幾つかの項目値を設定させるための処理（項目値設定支援制御処理）を行わせることが出来る構成を有する。従って、本発明のプリンタは、ユーザが簡単な作業を行うだけ、使用環境に適した状態で動作させることが可能なプリンタとして機能することになる。
【０００８】
なお、本発明のプリンタを実現するに際しては、項目値設定支援手段が項目値設定支援制御処理を実行することによりユーザに設定させる項目値の中に、重要なもの（重要性の判断基準は、プリンタの性能やユーザの使い勝手）が全て含まれているように（あまり重要ではないものが含まれないように）しておくことが望ましい。例えば、本発明のプリンタを、２つ以上の通信インタフェースを備えたものとして実現するに際しては、項目値設定支援手段が項目値設定支援制御処理を実行することによりユーザに設定させる項目値の中に、それぞれ、特定の通信インタフェース用に確保するバッファサイズを指定するための２つ以上の項目値が含まれているようにしておくことが望ましい。
【０００９】
また、本発明のプリンタを実現する際には、ユーザによる動作条件設定が確実に行われるようにするために、項目値設定支援手段を、項目値設定支援制御処理を自動的に開始する手段としておくことが望ましい。すなわち、項目値設定支援手段を、電源の初回投入時に、項目値設定支援制御処理を開始する手段としておくことや、項目値設定支援制御処理を開始する前に、操作手段に対する操作を通じてユーザから項目値設定支援制御処理を開始するか，項目値設定支援制御処理を次回の電源投入時に開始するか，項目値設定支援制御処理を次回の電源投入時に行わないかについての指示を取得し、取得した指示に応じた動作を行う手段としておくことが、望ましい。
【００１０】
また、項目値設定支援手段を、操作手段に対して所定の操作が行われた時にも、項目値設定支援制御処理を開始する手段としておいても良い。
【００１１】
【発明の実施の形態】
以下、本発明の実施の形態を、図面を参照して詳細に説明する。
【００１２】
まず、図１及び図２を用いて、本発明の一実施形態に係るプリンタ１０の概要を説明する。
【００１３】
図１に示してあるように、本実施形態に係るプリンタ１０は、制御部１１とコントロールパネル１２と印刷機構部１３とを、主な構成要素として備えた装置である。
【００１４】
コントロールパネル１２は、ユーザとプリンタ１０との間のインタフェースとして、プリンタ１０の上面に設けられているユニットである。このコントロールパネル１２は、図２に示したように、液晶ディスプレイ（ＬＣＤ）３０，バックキー３１，アップキー３２，ダウンキー３３，設定実行キー３４，ジョブキャンセルキー３５，データランプ３６，印刷可ランプ３７，エラーランプ３８及び印刷可キー３９等を備えたユニットとなっている。
【００１５】
なお、このコントロールパネル１２に用いられているＬＣＤ３０は、２０文字の表示が可能なモノクロＬＣＤである。バックキー３１，アップキー３２，ダウンキー３３，設定実行キー３４は、プリンタ１０の状態を知りたい場合や各種の設定を行いたい場合に、ユーザが押下すべきキー（押しボタンスイッチ）である。印刷可キー３９は、オンライン／オフラインの切り替えを行いたい場合に、ユーザが押下すべきキーであり、ジョブキャンセルキー３５は、印刷を中止させたい場合に、ユーザが印刷可キー３９を押下した後に押下すべきキーである。また、データランプ３６は、印刷データの受信中に点灯される発光ダイオード（ＬＥＤ）であり、印刷可ランプ３７は、オンライン状態（かつ、印刷が可能な状態）にあるときに点灯されるＬＥＤである。エラーランプ３８は、エラーが発生しているときに点灯されるＬＥＤである。
【００１６】
印刷機構部１３（図１）は、制御部１１から供給される信号に基づき用紙上へ実際に印刷を行う印刷エンジン、印刷エンジンに用紙を供給するためのＭＰトレイと複数の用紙カセット（いわゆる給紙装置）、印刷が行われた用紙をプリンタ１０外に排出するための排紙装置等で構成されたユニットである。この印刷機構部１３は、各用紙カセットにセットされている用紙のサイズを特定（検出）することはできるが、ＭＰトレイにセットされている用紙のサイズを特定することは出来ないユニット（ＭＰトレイにセットされている用紙のサイズは、ユーザが設定しなければならないユニット）となっている。
【００１７】
制御部１１は、受信した印刷データに応じた内容の印刷物を印刷機構部１３に生成させる処理や、コントロールパネル１２を制御する処理（ＬＣＤ３０上にメッセージを表示する処理、キー３１〜３５，３９の押下に応答するための処理）を行うユニットである。図示してあるように、この制御部１１は、ホストインタフェース回路部２１，ＣＰＵ２２，ＲＡＭ２３，メモリ制御部２４，ＲＯＭ２５，ＥＥＰＲＯＭ２６，インタフェース回路部２７等で構成されたユニットとなっている。
【００１８】
この制御部１１を構成しているＣＰＵ２２は、プリンタ１０内の各部を統合的に制御する制御回路である。ホストインタフェース回路部２１は、ＣＰＵ２２の制御下、図示せぬホストコンピュータ（本プリンタ１０用のプリンタドライバがインストールされたコンピュータ）との間で通信を行うためのユニットである。このホストインタフェース回路部２１は、パラレルインタフェース回路とＵＳＢインタフェース回路とネットワークインタフェース回路とを含むユニットとなっており、本プリンタ１０は、ホストインタフェース回路部２１内の各通信インタフェース回路を使用するか否かを指定するための設定や、各通信インタフェース回路用のバッファサイズを指定する（”ＮＯＲＭＡＬ”、”ＭＩＮＩＭＵＭ”、”ＭＡＸＩＭＵＭ”の中から選択する）ための設定を行える装置となっている。
【００１９】
ＲＯＭ２５は、ＣＰＵ２２が、ＲＡＭ２３上に読み出して実行する各種のプログラムを記憶した不揮発性メモリである。ＲＡＭ２３は、ＲＯＭ２５に記憶されているプログラムが読み出されるメモリであると共に、ＣＰＵ２２（ＲＡＭ２３上に読み出されているプログラム）の作業領域として用いられるメモリである。
【００２０】
メモリ制御部２４は、ＣＰＵ２２の制御下、ホストインタフェース回路部２１からＲＡＭ２３にデータを転送する処理や、ＲＡＭ２３上のデータ（印刷データからＣＰＵ２２が生成するデータ）に応じた信号を印刷エンジン１３へ供給する処理などを行う回路である。インタフェース回路部２７は、ＣＰＵ２２とコントロールパネル１２との間、ＣＰＵ２２と印刷エンジン１３との間でデータを授受するための幾つかのインタフェース回路からなるユニットである。
【００２１】
ＥＥＰＲＯＭ２６は、プリンタ１０の動作条件を規定する各種の動作条件項目のそれぞれについての項目値、”ＯＮ”，”ＯＦＦ”のいずれかの値を取るプリンタコンフィグウィザードフラグ（以下、ＰＣＷフラグと表記する）等を記憶した不揮発性メモリである。このＥＥＰＲＯＭ２６に記憶されている項目値の中には、上述したホストインタフェース回路部２１内の各通信インタフェース回路を使用するか否かに関する項目値、各通信インタフェース回路用のバッファサイズに関する項目値、ＭＰトレイにセットされている用紙のサイズに関する項目値が、含まれている。
【００２２】
そして、本プリンタ１０は、このＥＥＰＲＯＭ２６に、各通信インタフェース回路を使用するか否かに関する各項目値として、使用することを意味する値（“ＯＮ”）が記憶され、各通信インタフェース回路用のバッファサイズに関する各項目値として、受信バッファサイズを通常サイズとすることを意味する値（”ＮＯＲＭＡＬ”）が記憶され、ＭＰトレイに関する項目値として、Ａ４サイズの用紙がセットされていることを意味する値（“Ａ４”）が記憶され、ＰＣＷフラグとして、”ＯＮ”が記憶された状態で、製造（出荷）される装置となっている。
【００２３】
以上のことを前提に、以下、本実施形態に係るプリンタ１０の動作（制御部１１の動作）を、起動時の動作と通常動作時の動作（起動時の動作が完了した後の動作）とに分けて説明する。
【００２４】
制御部１１が通常動作を行っている場合、プリンタ１０は、受信した印刷データに応じた内容の印刷物を生成する装置であると共に、コントロールパネル１２を操作することによりユーザがＥＥＰＲＯＭ２６上の各種情報（項目値及びＰＣＷフラグ）の設定（変更）を行える装置として機能する。さらに、プリンタ１０は、コントロールパネル１２に対して所定手順の操作が行われると、後述する重要項目値設定支援処理を開始する装置としても機能する。
【００２５】
要するに、制御部１１の通常動作時の動作手順は、プリンタ１０を、ユーザがコントロールパネル１２を操作することにより、ＥＥＰＲＯＭ２６上のＰＣＷフラグを変更でき、重要項目値設定支援処理を開始させることができる装置として機能させるものとなっていることを除けば、既存のプリンタ１０内の制御部の動作手順と同じものとなっている。
【００２６】
一方、制御部１１の起動時の動作手順は、図３に示したように、既存のプリンタ１０内の制御部のそれとは全く異なったものとなっている。
【００２７】
すなわち、プリンタ１０の電源が投入されると、制御部１１は、まず、プリンタ１０内の各部が正常に機能していることを確認する処理であるシステムチェック処理（ステップＳ１０１）を行う。なお、本実施形態に係る制御部１１が実行するシステムチェック処理は、チェック中の項目を表すメッセージ（”ＲＯＭ  ＣＨＥＣＫ”，”ＲＡＭ  ＣＨＥＣＫ”等）がＬＣＤ３０上に順次表示される処理となっている。
【００２８】
システムチェック処理（ステップＳ１０１）を終えた制御部１１は、ＥＥＰＲＯＭ２６上のＰＣＷフラグが”ＯＮ”となっているか否かを判断する（ステップＳ１０２）。
【００２９】
そして、ＰＣＷフラグが”ＯＦＦ”となっていた場合（ステップＳ１０２；ＮＯ）、制御部１１は、ＬＣＤ３０上に”ＲＥＡＤＹ”を表示する処理（ステップＳ１０８）を行ってから、通常の動作を開始する。
【００３０】
一方、ＰＣＷフラグが”ＯＮ”となっていた場合（ステップＳ１０２；ＹＥＳ）、制御部１１は、コントロールパネル１２を利用（制御）して、ユーザから開始指示／キャンセル指示／自動実行停止指示のいずれかを取得する処理である指示取得処理（ステップＳ１０３）を、行う。
【００３１】
このステップＳ１０３にて行われる指示取得処理は、図４に模式的に示したような内容の処理となっている。
【００３２】
すなわち、指示取得処理を開始した制御部１１は、まず、ＬＣＤ３０上に、開始指示に対応づけられているメッセージである”Ｐ．ＣＯＮＦ．ＷＩＺ．  ◆ＳＴＡＲＴ”を表示する。その後、制御部１１は、ダウンキー３３が押下される度に、ＬＣＤ３０上に表示するメッセージを、”Ｐ．ＣＯＮＦ．ＷＩＺ．  ◆ＣＡＮＣＥＬ”、”Ｐ．ＣＯＮＦ．ＷＩＺ．  ◆ＮＥＶＥＲ”、”Ｐ．ＣＯＮＦ．ＷＩＺ．  ◆ＳＴＡＲＴ”といった順で変更していく状態であると共に、設定実行キー３４が押下されるのを監視する状態となる。
【００３３】
この状態で動作している制御部１１がＬＣＤ３０上に表示する”Ｐ．ＣＯＮＦ．ＷＩＺ．  ◆ＣＡＮＣＥＬ”、”Ｐ．ＣＯＮＦ．ＷＩＺ．  ◆ＮＥＶＥＲ”は、それぞれ、キャンセル指示、自動実行停止指示に対応づけられたメッセージとなっており、制御部１１は、設定実行キー３４が押下されたことを検出した場合には、ＬＣＤ３０上に表示中のメッセージに対応づけられている指示がユーザが出した指示（ユーザから取得した指示）であることを記憶して、指示取得処理を終了する。
【００３４】
このような内容の指示取得処理をステップＳ１０３（図３）で行った制御部１１は、指示取得処理にて取得した指示に応じた内容の処理（ステップＳ１０４〜Ｓ１０８）を行う。
【００３５】
具体的には、指示取得処理にて取得した指示が自動実行停止指示であった（”Ｐ．ＣＯＮＦ．ＷＩＺ．  ◆ＮＥＶＥＲ”がＬＣＤ３０上に表示されている状態で設定実行キー３４が押下された）場合（ステップＳ１０４；自動実行停止）、制御部１１は、ＥＥＰＲＯＭ２６上のＰＣＷフラグを”ＯＦＦ”に変更する処理（ステップＳ１０７）と、ＬＣＤ３０上に”ＲＥＡＤＹ”を表示する処理（ステップＳ１０８）とを行ってから、通常の動作を開始する。すなわち、この場合、制御部１１は、自身の状態を、次回の起動時にステップＳ１０３以降の処理を行わない状態とした上で、通常の動作を開始する。
【００３６】
また、指示取得処理にて取得した指示がキャンセル指示であった（”Ｐ．ＣＯＮＦ．ＷＩＺ．  ◆ＣＡＮＣＥＬ”がＬＣＤ３０上に表示されている状態で設定実行キー３４が押下された）場合（ステップＳ１０４；キャンセル）、制御部１１は、ＬＣＤ３０上に”ＲＥＡＤＹ”を表示する処理（ステップＳ１０８）を行ってから、通常の動作を開始する。すなわち、この場合、制御部１１は、自身の状態を、次回の起動時にもステップＳ１０３以降の処理を行う状態としたままで（キャンセル指示を、次回の起動時にステップＳ１０３以降の処理を行うことについての指示である次回実行指示として認識して）、通常動作を開始する。
【００３７】
また、指示取得処理にて取得した指示が開始指示であった（”Ｐ．ＣＯＮＦ．ＷＩＺ．  ◆ＳＴＡＲＴ”がＬＣＤ３０上に表示されている状態で設定実行キー３４が押下された）場合（ステップＳ１０４；開始）、制御部１１は、重要項目値設定支援処理（ステップＳ１０５）を行う。
【００３８】
以下、図５を用いて、制御部１１が実行する重要項目値設定支援処理の内容を説明する。
【００３９】
この重要項目値設定支援処理は、ユーザに、本プリンタ１０が備えている３種の通信インタフェースのそれぞれに関する設定と、ＭＰトレイに関する設定とを、行わせるための処理である。なお、重要項目値設定支援処理を、３種のインタフェースのそれぞれに関する設定が行える処理としているのは、本プリンタ１０が、使用しないインタフェースに関するバッファサイズを最小サイズにしておいた方が良い装置（使用しないインタフェースに関するバッファサイズを最小サイズにしておかないとプリンタ１０内のメモリが無駄に使用されることになる装置）となっているからである。また、重要項目値設定支援処理を、ＭＰトレイに関する設定が行える処理としているのは、ＭＰトレイ内の用紙サイズの設定が誤っている（本プリンタ１０は、ＭＰトレイ内の用紙サイズの自動検出機能を有さない装置）と、給紙装置の自動選択が正常に行われない，誤ったサイズの用紙に印刷が行われる，といった問題が生ずるからである。
【００４０】
図示してあるように、重要項目値設定支援処理を開始した制御部１１は、まず、ＬＣＤ３０上に、これから設定対象となる項目値が、通信インタフェース（パラレル、ＵＳＢ及びネットワークインタフェース）に関するものであることを表すメッセージ”ＩＮＴＥＲＦＡＣＥ  ＣＯＮＦＩＧ”を表示する。その後、制御部１１は、所定時間（数秒）が経過するのを待機してから、パラレルインタフェースに関する設定をユーザに行わせるためのパラレルインタフェース用設定処理を、開始する。そして、制御部１１は、まず、ＬＣＤ３０上のメッセージを、”ＰＡＲＡＬＬＥＬ  Ｉ／Ｆ”（パラレルインタフェースを使用するか否かについての動作条件項目）に関するその時点における項目値を示すメッセージ”ＰＡＲＡＬＬＥＬ  Ｉ／Ｆ＝◆ＯＮ”或いは”ＰＡＲＡＬＬＥＬ  Ｉ／Ｆ＝◆ＯＦＦ”（この重要項目値設定支援処理が初めて行われた際には、”ＰＡＲＡＬＬＥＬ  Ｉ／Ｆ”の出荷時の項目値“ＯＮ”が示された”ＰＡＲＡＬＬＥＬ  Ｉ／Ｆ＝◆ＯＮ”）に変更する。
【００４１】
メッセージ”ＰＡＲＡＬＬＥＬ  Ｉ／Ｆ＝◆ＯＮ”（或いは”ＰＡＲＡＬＬＥＬ  Ｉ／Ｆ＝◆ＯＦＦ”）をＬＣＤ３０上に表示した制御部１１は、その後、当該メッセージ中の”ＯＮ”、”ＯＦＦ”（◆に続けて表示する文字列）をダウンキー３３が押下される度に切り替える状態であると共に、設定実行キー３４が押下されるのを監視する状態となる。そして、制御部１１は、ＬＣＤ３０上に”ＰＡＲＡＬＬＥＬ  Ｉ／Ｆ＝◆ＯＮ”が表示されている状況下で設定実行キー３４が押下されたときには、必要である場合（ＥＥＰＲＯＭ２６上の”ＰＡＲＡＬＬＥＬ  Ｉ／Ｆ”に関する項目値が“ＯＦＦ”である場合）には、ＥＥＰＲＯＭ２６上の”ＰＡＲＡＬＬＥＬ  Ｉ／Ｆ”に関する項目値を書き換える処理を行った後に、この”ＰＡＲＡＬＬＥＬ  Ｉ／Ｆ”に関する設定時と同様の制御をコントロールパネル１２に対して行うことにより、”ＳＰＥＥＤ”（通信速度に関する動作条件項目）、”ＢＩＤ”（双方向通信モードに関する動作条件項目）、”ＢＵＦＦＥＲ  ＳＩＺＥ”（バッファサイズに関する動作条件項目）に関する設定を、ユーザに行わせる。また、制御部１１は、ＬＣＤ３０上に”ＰＡＲＡＬＬＥＬ  Ｉ／Ｆ＝◆ＯＦＦ”が表示されている状況下で設定実行キー３４が押下されたときには、必要である場合にはＥＥＰＲＯＭ２６上の”ＰＡＲＡＬＬＥＬ  Ｉ／Ｆ”に関する項目値を書き換える処理を行う。この場合は、”ＳＰＥＥＤ”、”ＢＩＤ”、”ＢＵＦＦＥＲ  ＳＩＺＥ”に関する設定は、スキップされる。
【００４２】
制御部１１は、”ＢＵＦＦＥＲ  ＳＩＺＥ”に関する設定がユーザにより行われたとき（”ＢＵＦＦＥＲ  ＳＩＺＥ＝◆ＮＯＲＭＡＬ”、”ＢＵＦＦＥＲ  ＳＩＺＥ＝◆ＭＩＮＩＭＵＭ”、”ＢＵＦＦＥＲ  ＳＩＺＥ＝◆ＭＡＸＩＭＵＭ”のいずれかがＬＣＤ３０上に表示されている状況下で設定実行キー３４が押下されたとき、又は、”ＰＡＲＡＬＬＥＬ  Ｉ／Ｆ＝◆ＯＦＦ”の状態で設定実行キー３４が押下されたとき）に、以上説明したパラレルインタフェース用設定処理を終了する。そして、制御部１１は、いずれも、このパラレルインタフェース用設定処理と基本的には同内容の処理（設定対象となる動作条件項目が異なる処理）であるＵＳＢインタフェース用項目値設定処理、ネットワークインタフェース用項目値設定処理、ＭＰトレイ用項目値設定処理を、順次、行うことにより、ユーザに、ＵＳＢインタフェース、ネットワークインタフェース、ＭＰトレイに関する設定を行わせた後に、重要項目値設定支援処理を終了する。
【００４３】
図３に戻って、重要項目値設定支援処理完了後の制御部１１の動作を説明する。
【００４４】
重要項目値設定支援処理（（ステップＳ１０５）を終えた制御部１１は、ＰＣＷ終了メッセージ”Ｐ．ＣＯＮＦ．ＷＩＺ．  ＣＯＭＰＬＥＴＥ”をＬＣＤ３０上に所定時間（数秒）表示する処理（ステップＳ１０６）を行う。その後、制御部１１は、ＥＥＰＲＯＭ２６上のＰＣＷフラグを”ＯＦＦ”に変更する処理（ステップＳ１０７）と、ＬＣＤ３０上に”ＲＥＡＤＹ”を表示する処理（ステップＳ１０８）とを行ってから、通常動作を開始する。
【００４５】
以上、説明したように、本プリンタ１０は、プリンタ１０を良好な状態で動作させるために設定しておくことが望ましい項目値群（３種のインタフェースに関する項目値とＭＰトレイに関する項目値）のみをユーザに設定させるための重要項目値設定支援処理を実行可能な装置となっている。従って、本プリンタ１０は、ユーザが簡単な作業を行うだけで使用環境に適した状態で動作させることが可能なプリンタとして機能することになる。
【００４６】
また、プリンタ１０は、重要項目値設定支援処理を、初回起動時に自動実行する装置となっているので、本プリンタ１０は、ユーザに確実に動作条件設定を行わせることが出来る装置としても機能することになる。
【００４７】
＜変形形態＞
上記したプリンタ１０は、各種の変形を行うことが出来る。例えば、プリンタ１０は、ＬＣＤ３０に英語表記のメッセージが表示される装置であったが、ＬＣＤ３０に日本語表記のメッセージが表示されるように、プリンタ１０を変形しても良い。
【００４８】
また、プリンタ１０が実行する重要項目値設定支援処理は、ユーザに、３種のインタフェースについての設定と、ＭＰトレイについての設定とを、行わせるための処理であったが、例えば、重要項目値設定支援処理として、ＭＰトレイ用設定処理の終了後にステータスシートの印刷を開始する（或いは、ステータスシートの印刷を行うか否かをユーザに問い合わせ、行うことが指示されたときに、ステータスシートの印刷を開始する）処理が行われるように、プリンタ１０を変形しても良く、重要項目値設定支援処理の設定対象となる項目値群を上記したものと全く異なるものとしておいても良い。
【００４９】
さらに、重要項目値設定支援処理時の各項目値の設定手順（設定される項目値の順や、項目値を設定するためのキーの操作手順）を上記したものとは異なるものとしておいても良いことや、コントロールパネル１２として、上記したものとは異なる構成のもの（例えば、ソフトウェアキーボードが用いられたもの）を用いても良いことは、当然のことである。
【図面の簡単な説明】
【図１】本発明の一実施形態に係るプリンタの構成図。
【図２】実施形態に係るプリンタが備えるコントロールパネルの説明図。
【図３】実施形態に係るプリンタの起動時に実行される処理の流れ図。
【図４】実施形態に係るプリンタにて実行される指示取得処理の説明図。
【図５】実施形態に係るプリンタにて実行される重要項目値設定支援処理の説明図。
【符号の説明】
１０  プリンタ、  １１  制御部、    １２  コントロールパネル、
１３  印刷機構部、  ２１  ホストインタフェース回路部、
２６  ＥＥＰＲＯＭ、  ３０  液晶ディスプレイ（ＬＣＤ）、
３３  ダウンキー、  ３４  設定実行キー
【図１】
2004249479.tif 000003
【図２】
2004249479.tif 000004
【図３】
2004249479.tif 000005
【図４】
2004249479.tif 000006
【図５】
2004249479.tif 000007